(57)【要約】【課題】    建築用パネル体が受ける風圧荷重を低減して建築パネル体自体の強度並びに支持強度を抑えると共に、プライバシーの保護を確保した建築用パネル体を提供する。【解決手段】    複数のパネル部材２を連結して形成した建築用パネル体であって、パネル部材２は中間部に形成したガイド傾斜面２１と、上部に形成したガイド傾斜面２１の上方に位置する第一の鉤状部２２と、下部に形成したガイド傾斜面２１の下方に位置する第二の鉤状部２３と、第一の鉤状部２２の水平面２２１に形成した第一の透孔４と、第二の鉤状部２３の水平面２３１に形成した第二の透孔５とを有し、上側に隣接するパネル部材２の第二の鉤状部２３と下側に隣接するパネル部材２の第一の鉤状部２２を連結して第一の鉤状部２２と第二の鉤状部２３により区画された中空部６を形成し、パネル部材のガイド傾斜面に当接する風を第一の透孔４と第二の透孔５を通過させる。【選択図】        図１
2006274567.tif 000002
【特許請求の範囲】
【請求項１】
複数のパネル部材を連結して形成した建築用パネル体であって、パネル部材は中間部に形成したガイド傾斜面と、上部に形成したガイド傾斜面の上方に位置する第一の鉤状部と、下部に形成したガイド傾斜面の下方に位置する第二の鉤状部と、第一の鉤状部の水平面に形成した第一の透孔と、第二の鉤状部の水平面に形成した第二の透孔とを有し、上側に隣接するパネル部材の第二の鉤状部と下側に隣接するパネル部材の第一の鉤状部を連結して第一の鉤状部と第二の鉤状部により区画された中空部を形成し、パネル部材のガイド傾斜面に当接する風を第一の透孔と第二の透孔を通過させたことを特徴とする建築用パネル体。
【請求項２】
第一の透孔と第二の透孔の位置を、パネル部材の長手方向においてずらして形成したことを特徴とする請求項１に記載の建築用パネル体。
【発明の詳細な説明】
【技術分野】
【０００１】
この発明は、複数のパネル部材を連結して形成した建築用パネル体であって、フェンス、門扉、がらり板等に利用される。
【背景技術】
【０００２】
従来、住宅等の隣地境界に設置するフェンスにおいて、防風効果を奏するものが知られている。風を完全に遮断したいのであれば、開口の無いパネル体によってフェンスを構成すれば良い。しかしながら、開口が全く無いとフェンスのパネル体が風圧をまともに受けるため、フェンスのパネル体並びにパネル体を支持する支柱等の強度を高めなければならず、コストアップを招くものであった。
【０００３】
特許文献１には、フェンスパネル体に透孔を設けることにより、この透孔に風を通過させてフェンスパネルが受ける風圧を弱め、支柱の支持力を軽減したフェンスが開示されている。
【０００４】
特許文献２には、縦横に丸みを与えた柱状材を配設し、柱状材の間に隙間を設けた防風フェンスが開示されている。
【０００５】
さらに特許文献３には、フェンス面と非平行な非平行面に孔を形成した防風機能を有する孔あきフェンスが開示されている。
【０００６】
上記、特許文献１〜３によると、フェンスのパネル体に風が通過する孔若しくは隙間を設けることにより、支柱等の支持強度を高めることなく、防風機能を有するフェンスを提供するものである。
しかしながら、特許文献１〜３のようにフェンスパネル体に孔若しくは隙間を設けると、この孔若しくは隙間によってフェンスが透視されるため、プライバシーの保護に劣るものであった。
【０００７】
特許文献４には、上下傾斜片を形成した羽根を支柱に設けた目隠しフェンスが開示されている。
特許文献４によれば、羽根の上下が傾斜片となっているので、上下に隣接する羽根の傾斜片が重なり合って、外部からの視線を遮ると共に、隣接する羽根の間に形成された隙間を風が通過するため、フェンスが受ける風圧を低減するものである。
しかしながら、特許文献４に記載のフェンスにおいても、水平方向の視線であれば、羽根によって遮ることができるが、傾斜片と平行な視線となると、フェンスが透視され、プライバシーの保護が十分なものとは言えないものであった。
【０００８】
【特許文献１】特開平６−２６４４１９号公報
【特許文献２】特開平９−６７８１０号公報
【特許文献３】特開２００２−８９０８６号公報
【特許文献４】特開２００４−３６２９８号公報
【発明の開示】
【発明が解決しようとする課題】
【０００９】
本発明の目的は、建築用パネル体が受ける風圧荷重を低減して建築パネル体自体の強度並びに建築パネル体の支持強度を低減すると共に、プライバシーの保護を確実とした建築用パネル体を提供することにある。
【課題を解決するための手段】
【００１０】
本発明者は、このような事情に鑑み鋭意検討を重ねた結果、複数のパネル部材を連結して形成した建築用パネル体であって、パネル部材は中間部に形成したガイド傾斜面と、上部に形成したガイド傾斜面の上方に位置する第一の鉤状部と、下部に形成したガイド傾斜面の下方に位置する第二の鉤状部と、第一の鉤状部の水平面に形成した第一の透孔と、第二の鉤状部の水平面に形成した第二の透孔とを有し、上側に隣接するパネル部材の第二の鉤状部と下側に隣接するパネル部材の第一の鉤状部を連結して第一の鉤状部と第二の鉤状部により区画された中空部を形成し、パネル部材のガイド傾斜面に当接する風を第一の透孔と第二の透孔を通過させたことによって、所期の目的を達成したものである。
【００１１】
請求項２に記載の発明は、第一の透孔と第二の透孔の位置を、パネル部材の長手方向においてずらして形成したことにより、フェンスの透視をより一層確実に防止することができる。
【発明の効果】
【００１２】
本発明の建築用パネル体によれば、パネル部材の第一の鉤状部の水平面に第一の透孔を形成し、第二の鉤状部の水平面に第二の透孔を形成し、上下に隣接するパネル部材の第一の鉤状部と第二の鉤状部によって中空部を区画形成したので、第一の透孔と第二の透孔を介して中空部を通り抜ける風の力を段階的に弱めることができ、パネル部材の強度並びに建築用パネル体の支持強度を上げなくても、防風効果を高めることができる。
【００１３】
また、第一の透孔と第二の透孔は、上下に隣接するパネル部材の第一の鉤状部と第二の鉤状部によって区画形成される中空部を介して連通するので、建築用パネル体を透視することができず、プライバシーの保護を確実なものとすることができる。
【発明を実施するための最良の形態】
【００１４】
以下、本発明を実施するための最良の形態を実施例に基づき説明する。
図１乃至図４は本発明建築用パネル体であり、建築用パネル体１は複数のパネル部材２を上下方向に連設することによってパネル部Ｐを形成し、パネル部Ｐが枠体３によって囲われている。なお、本発明建築用パネル体１は門扉、がらり板等に適用可能であるが、本実施例においては、フェンスに適用した例に基づいて説明する。
【００１５】
パネル部材２はアルミニウム製押出し形材によって形成されており、上下中間位置にガイド傾斜面２１が形成され、ガイド傾斜面２１を挟んで上側に第一の鉤状部２２、下側に第二の鉤状部２３が形成されている。第一の鉤状部２２はガイド傾斜面２１の上方を覆うように屈曲形成しており、第一の鉤状部２２の水平面２２１に第一の透孔４が形成されている。一方、第二の鉤状部２３はガイド傾斜面２１の下方を覆うように屈曲形成しており、第二の鉤状部２３の水平面２３１に第二の透孔５が形成されている。
【００１６】
なお、水平面２２１と水平面２３１における第一の透孔４と第二の透孔５の開口率は夫々２３％である。本実施例において第一の透孔４と第二の透孔５の形状は円形状としたが、種々の形状を適用しても構わない。また、透孔４，５による開口率も１０〜５０％の範囲で調整することができる。開口率が５０％を超えると、防風効果が低下すると共に水平面２２１，２３１の強度低下を招く。逆に、１０％を下回ると風圧荷重が増加してパネル部材並びに建築用パネル体の支持強度を高めなければならず、コストアップを招く。
【００１７】
第一の鉤状部２２の先端部と、第一の鉤状部２２の垂直面２２２におけるガイド傾斜面２１側に係合突条２２３，２２４が形成されている。また、第二の鉤状部２３の先端部と、第二の鉤状部２３の垂直面２３２におけるガイド傾斜面２１側にも係合突条２３３，２３４が形成されている。上下に隣接するパネル部材２は、上側に位置するパネル部材２の第二の鉤状部２３に形成した係合突条２３３，２３４を、下側に位置するパネル部材２の第一の鉤状部２２に形成した係合突条２２３，２２４に係合することによってパネル部材２が上下に連設され、パネル部Ｐが形成される。
【００１８】
上側に隣接するパネル部材２の第二の鉤状部２３と、下側に隣接するパネル部材２の第一の鉤状部２２によって、中空部６が区画形成され、建築用パネル体１によって仕切られる空間は、第一の透孔４、第二の透孔５及び中空部６を介して通風自在となっている。
【００１９】
ガイド傾斜面２１の下面には、一部が切りかかれたビスホール２４が形成され、該ビスホールには枠体３の縦枠３１に形成した透孔３１１を挿通する螺子７が螺入し、パネル部材２が縦枠３１に固着される。
上端に位置するパネル部材２における第一の鉤状部２２の水平面２２１の上面には、一対の係止部２２５が形成され、該係止部２２５が枠体３の上横枠３２の下面に形成した一対の被係止部３２１に係止する。一方、下端に位置するパネル部材２の第二の鉤状部２３の水平面２３１の下面には、一対の係止部２３５が形成され、該係止部２３５が下横枠３３の上面に形成した被係止部３３１に係止する。
以上のようにして、パネル部材２を連設して形成したパネル部Ｐが枠体３によって囲われ、建築用パネル体１が形成される。
【００２０】
第一の鉤状部２２の第一の透孔４と、第二の鉤状部２３の第二の透孔５は、パネル部材２の長手方向において位置をずらして形成している。透孔４と透孔５の位置をずらして形成したことにより、透孔４，５の位置を重ねて建築用パネル体１を透視することができず、プライバシーの保護がより確実となる。また、中空部６内において風の流れが屈曲するので、建築パネル体１を通り抜ける風の力をより一層弱めることができる。なお、図３において建築用パネル体１の右側が敷地側あるいは道路側であり、建築用パネル体１の左側面によって風を受ける。
【００２１】
本実施例において示した建築用パネル体１によれば、パネル部Ｐに当たった風（図３において左から右方向への風）は、ガイド傾斜面２１によって上方へ向きが変えられる。ガイド傾斜面２１の上側には、上方に隣接するパネル部材２の第二の透孔５が開口しており、第二の透孔５に風が流れ込む。第二の透孔５を通り抜けた風は、中空部６に入り、中空部６の上方に位置する第一の透孔４に流れ込み、第一の透孔４を通過した風がパネル部Ｐを通過したことになる。パネル部Ｐを通過した風は、第二の透孔５と第一の透孔４によって段階的に弱められ、水平面２２１と水平面２３１が受ける風圧は小さくて済むので、パネル部材２に強度アップを施さなくても、風圧に耐え得るものである。さらに、パネル部Ｐを通過した風は、上方に向きが変換されるので、建築用パネル体を通過した風は、敷地内部の奥まで到達することがない。
【図面の簡単な説明】
【００２２】
【図１】本発明建築用パネル体の分解斜視図
【図２】本発明建築用パネル体の要部を拡大した縦断面図
【図３】本発明建築用パネル体の全体縦断面図
【図４】図３におけるＡ−Ａ線断面図（Ａ）、Ｂ−Ｂ線断面図（Ｂ）
【符号の説明】
【００２３】
１      建築用パネル体
２      パネル部材
３      枠体
４      第一の透孔
５      第二の透孔
６      中空部
２１      ガイド傾斜面
２２      第一の鉤状部
２３      第二の鉤状部
２２１      水平面
２３１      水平面
【図１】
2006274567.tif 000003
【図２】
2006274567.tif 000004
【図３】
2006274567.tif 000005
【図４】
2006274567.tif 000006